(57)【要約】      （修正有）【課題】処方箋で指定された方法で適正に服薬できるよう患者または介護者を支援する服薬時間管理装置を提供する。【解決手段】タイマーおよび制御部と３個の収納部を一つの匡体に内蔵し、本体１の前面には患者または介護者が操作を行うことが可能なタイマーおよびスイッチ類を設けた操作パネル５、薬を格納する収納部Ａ、収納部Ｂ、収納部Ｃの扉が配置されている。主タイマー６は、服薬の基本時刻を設定し、基本時刻到達後に服薬するそれぞれの薬の間隔時間についてはサブタイマー設定ダイヤルにて設定する。３個の薬収納部には該当の収納部の薬が服薬時間になったことを示す照明ランプが内蔵されており、そのランプの点灯で、服薬時間になった収納部内部を認識できるようになっている。さらに、服薬時間になったことを音声で通知するスピーカ１１が内蔵されており、音での服薬の通知も可能となっている。【選択図】図１
2011031006.tif 000002
【特許請求の範囲】
【請求項１】
複数の収納区画を持つ電子ロック機能付き薬入れを備えた薬箱と、前記薬入れの開閉を検出する薬入れ開閉センサーの開開信号に基づいて、予め設定された解錠時刻に電子ロックを解錠する電子装置とタイマー機能を備えた制御装置とから構成された服薬時間管理装置。
【請求項２】
複数の収納区画の薬入れは、設定による服薬時刻に到達した薬入れ区画の電子ロックのみを解除し、他の収納区画の電子ロックは施錠状態を維持して、複数の薬の飲み間違いを防止する機能を備えた請求項１記載の服薬時間管理装置。
【請求項３】
１日のうちの複数の基本服薬時刻（たとえば、１日３回、９時、１２時、１８時）と基本服薬時刻到達後の複数のサブ服薬間隔時間（たとえば、３種の薬を１５分ごとに服薬）を設定可能な制御装置を備えた請求項１記載の服薬時間管理装置。
【請求項４】
基本服薬時刻到達後のサブ服薬間隔時間は、複数あるサブ服薬間隔時間のうち、第１番目の服薬間隔時間が到来し、該当の薬収納区画の電子ロックが解錠されて患者または介護者が第１番目の薬を取り出したことを検知することにより服薬を実施したと判断し、第２番のサブ服薬間隔時間の計数を開始する。以後  同様に服薬実施動作を認識して、Ｎ個のサブ服薬間隔時間を計数することにより複数の薬の服薬間隔時間を正確に管理することを特長とする請求項１記載の服薬時間管理装置。
【請求項５】
基本服薬時刻は使用者の状況により遅延する可能性があるが、サブ服薬時間の間隔は、基本服薬時刻の遅延に影響を受けず、設定された時間間隔で服薬を誘導することが可能なことを特長とする、請求項１記載の服薬時間管理装置。
【請求項６】
複数の収納区画を備えた薬入れにおいて、当該の服薬時刻に到達した収納区画を患者または介護者が判別可能なようにランプの点灯、音声による誘導を行う請求項１記載の服薬時間管理装置。
【発明の詳細な説明】
【技術分野】
【０００１】  本発明は、病院や薬局で処方された処方薬を処方箋で指定された方法で適正に服薬できるよう患者または介護者を支援する服薬時間管理装置に関する。
【背景技術】
【０００２】変化が激しく、高齢化が急速に進行している現代社会では、病院や老人ホーム、自宅で療養中の人だけでなく、高血圧症や糖尿病等の慢性疾患を抱えながら普通に働いている人はは少なくなく、しかも年々増加している。また、老人特有の疾患である白内障も増加しており、手術による治療が一般的となり、手術後の処方薬を服用している人（以下、患者と記載する。）は、手術直後から病院で指定された方法で、複数の薬を継続して服用しなければならない。
たとえば、１日３回（９時、１２時、１８時）に、それぞれ３種の点眼薬を１５分ごとに指定された順序で点眼するなど。そのため、患者または介護者は点眼忘れや二度、同じ薬の点眼、点眼間隔の不正等の不適正な服薬が発生しないように注意深く自主的に管理しているはずであるが、現実には患者自身の高齢化のため、複雑な処方時間での服薬の自主管理は困難であり、現実には不適正な服薬が時々発生しているようである。
また、老人ホーム等では、１人の介護者が複数の患者に対応するため、複雑な服薬方法の管理は困難な状況である。したがって、患者および介護者にとっては、点眼し忘れや点眼順序の誤り、２重点眼等、服薬にかかわる時間の管理は非常に大きな負担となっている。【０００３】実開平２−６０４７号公報に開示されている従来の服薬管理支援装置は、デジタル時計と薬箱と組合せて構成されたアラーム付薬箱である。
即ち、このアラーム付薬箱は、薬を入れた箱の正面にデジタル時計を組み込んでおき、薬を飲む時間になったとき、アラームがなり、かつ蓋を開けて薬を取り出して蓋を閉めるつど、デジタルで次の飲む時間を表示することが出来るようにした薬の飲み忘れ防止用薬入れ箱である。このようなアラーム付薬箱は、服薬時刻が単純に、朝・昼・夕と毎日決まっており、かつ、それぞれの服薬時刻で、一括で複数の薬を服薬するような患者に対しては有効である。【０００４】特許公開２００３−２３５９４２号公報に公開されている従来の服薬管理支援装置は電子タイマーと薬入れの電子ロックを連動させた装置であり、薬入れは服薬確認時刻から次の服薬時間帯の開始時刻まで開閉不可能な状態に保持され、二度飲みや飲み忘れ等が起きないように患者又はその介護者の自主的な服薬管理を支援するものであるが、これも、基本的には単純な服薬処方では有効である。
【発明の開示】
【発明が解決しようとする課題】
【０００５】しかしながら、アラーム付薬箱は次のような数々の問題を有する。即ち、薬の処方により、単純な時刻指定ではなく、各指定時刻に複数の薬を指定された時間間隔で服薬する場合もある。  たとえば、９時、１２時、１８時に薬ａ，ｂ，ｃを指定された順序に従い、１５分間隔で服薬する等、単純なタイマー設定では、薬ａを服薬する時刻が遅れた場合、それ以後の服薬時刻が処方指示の１５分間隔からずれてしまい、患者にとって適正な服薬を実施できないことがおこりうる。従って、アラーム付薬箱では、薬の飲み忘れ防止を確実に実現することは難しいという問題がある。【０００６】また、電子ロック付きの薬箱も、タイマーで指定された時刻の該当の薬のみ、電子ロックを解錠し、複数の薬の飲み間違えを防止することと、薬箱開閉センサーによる服薬時刻の確認は可能であるが、前記のような複雑な服薬指示の処方に対しては対応できない問題点がある。
【課題を解決しようとするための手段】
【０００７】上記課題を解決するために、服薬忘れ、服薬時の薬の飲み間違えを防止し、複雑な処方指示の服薬において、服薬時刻の遅延に対しても、服薬処方指示の服薬時間の間隔および複数の服薬の順序を管理することが可能な装置を提供することである。
上記の目的を達成するために、電子タイマーおよび電子ロック付き薬箱と薬箱の開閉センサーを組み合わせ、服薬時刻の通知機能および患者の服薬動作の確認機能、服薬後のタイマー起動による服薬間隔時間の制御機能を具備する。
【０００８】  電子タイマーは基本服薬時刻とサブ服薬間隔時間を設定可能な機能を有する。基本服薬時刻は１日３回、９時、１２時、１８時  等指定の時刻をそれぞれ設定可能である。また、サブ服薬間隔時間は基本服薬時刻を開始時刻として、複数の服薬、たとえば、薬ａ、薬ｂ、薬ｃをそれぞれ１５分間隔等の設定が可能である。
薬箱は複数の区画に分かれており、それぞれ、電子ロックによる施錠・解錠が可能であり、制御部により、電子タイマーで指定された時刻で制御される。また、各薬箱の区画には開閉センサーが装備され、該当の区画が開扉され、薬が取り出された事象および閉扉による服薬終了の事象を制御部に通知する機能がある。
各薬箱の区画には該当の区画が服薬対象であることを患者に通知するための、ランプを装備し、視覚的に服薬対象の区画を区別可能とし、服薬間違いを防止する。また、服薬対象の区画表示ランプと同期し、音声にて区画番号を通知する音声出力機能も具備する。
これらの機能により、基本服薬時刻とサブ服薬間隔時間が管理可能となり、また複数の薬の複雑な処方に対しても服薬時間の管理を支援し、服薬誤りを防止することが可能となる。
【発明の効果】
【０００９】本発明に係わる服薬時間管理装置は、基本服薬時刻およびその基本服薬時刻到来後の複数のサブ服薬間隔時間の管理が可能で、複数の薬収納区画には電子ロックと各格納部の開閉を検出するセンサーを装備し、施錠状態が設定された服薬時刻まで保持され、服薬種別の誤りを防止する機能を提供できる。
【発明を実施するための最良の形態】
【００１０】以下に、本発明の実施形態を図面に基づいて説明する。
図１は、本発明の一実施形態を示す服薬時間管理装置の斜視図
図２は、実施形態の服薬時間管理装置のブロック回路図
図３は、実施形態の服薬時間管理装置のタイマー値設定表
図４は、実施形態の服薬時間管理装置の増設例斜視図
図５は、実施形態の服薬時間管理装置の動作の一例を示すフローチャート。
本実施形態に係る服薬時間管理装置は図１に示すようにタイマーを内蔵した制御部と３個の収納部を一体化した持ち運び可能な装置である。
装置本体１の前面には管理者が操作を行うことが可能なタイマーおよびスイッチ類が設けられている操作パネル５および薬を格納する収納部２、収納部３、収納部４の扉が配置されている。
主タイマー６は、服薬の基本時刻（たとえば、９時、１２時、１８時）を設定する。基本時刻に服薬するそれぞれの薬の間隔時間についてはサブタイマー設定ダイヤル８にてサブタイマー表示部７に表示される時間を見ながら設定する。３個の薬収納部には該当の収納部の薬が服薬時間になったことを示す図示しない照明ランプが内蔵されており、そのランプの点灯で、服薬時間になった収納部を認識できるようになっている。
合わせて、服薬時間になったことを音声で通知するスピーカ１１が内蔵されており、音声での服薬の通知も可能となっている。【００１１】図２の装置ブロック回路図にて本装置の動作を説明する。
制御部１３には管理者が各種時刻の設定操作を行う操作部１５、時間を計測するタイマー１６、服薬時刻になったときの音声通知を行う音声制御部１８、各部に電源を供給する電源部１７、薬の収納、管理を行う複数の収納部（Ａ）２０から収納部（Ｎ）ｎが接続されている。
制御部は服薬時刻を管理するタイマー値設定テーブル１４を保有する。
収納部（１）２０には収納部の扉を施錠および解錠する電子ロック２１、服薬動作を確認する扉開閉センサ２２、服薬時刻到来時の該当収納部を表示するランプ２３が内蔵されている。【００１２】  まず、管理者は、図３に示すタイマー値設定テーブルの設定値を処方された薬の服薬指示に従い、操作部１５より本装置に設定する。図３の設定テーブルは、服薬指示として、１日３回（９時、１２時、１８時）、３種類の薬（ａ，ｂ，ｃ）を１５分間隔で服用する場合を例として示している。
収納部番号１、２、３にはそれぞれ薬ａ、薬ｂ、薬ｃを収納するとした場合、主タイマー値としては、９時、１２時、１８時が設定され、それぞれの薬の  サブタイマー値には薬ｂとして１５分、薬ｃとして１５分、が設定される。【００１３】  図５のフローチャートにより本装置の実施例による動作を説明する。
まず、各収納部電子ロック解除（１０２）により、各収納部の扉は解錠状態となり、患者または介護者は扉を開けて該当の薬を該当の収納部に格納（１０３）する。
収納部の全扉閉を確認（１０４）後、主タイマー時刻セット（１０５）、サブタイマー時間セット（１０６）を行うことにより、準備が完了する。【００１４】  本装置を使用開始し、主タイマーの時刻が到来したとき、まず第一の収納部（Ａ）の扉電子ロックが解錠され、収納部（Ａ）内のランプが点灯、音声にて収納部（Ａ）の薬の服薬を通知するメッセージ音声が出力（１０９）される。
患者または介護者による収納部（Ａ）の服薬動作を収納部の扉開閉センサーが検知（１１０）することにより、収納部（Ａ）の扉は電子ロックで施錠し、収納部（Ａ）内のランプは消灯し、メッセージ音声は停止（１１１）する。このとき、つぎの服薬までの時間であるサブタイマーが起動され、薬ｂの服薬までの時間間隔１５分を計測開始（１１２）する。
サブタイマーが計測時間１５分に到達した場合、第二の収納部Ｂに対する処理が前記収納部Ａの場合と同様に実施される。以後収納部（Ｎ）まで処理が完了すると、次回の主タイマー時刻に到達するまで、制御部は主タイマー時刻を監視（１０８）する。【００１５】  図４は、本装置に対し、収納部を増設した場合の装置斜視図である。
実施例の基本構成では収納部が３個であるが、薬の種類が増えた場合は増設収納部２０１を複数接続することにより基本装置の制御部にて対応可能である。図では増設収納部を横に並べたが、縦に積み上げることも可能である
【産業上の利用可能性】
【図面の簡単な説明】
【００１６】
【図１】本発明の装置斜視図
【図２】本発明の装置のブロック回路図
【図３】本発明の装置のタイマー値設定表
【図４】本発明の装置の増設例斜視図
【図５】本発明の装置のフローチャート。
【符号の説明】
【００１７】１  装置本体
２  収納部（Ａ）
３  収納部（Ｂ）
４  収納部（Ｃ）
５  操作パネル
６  主タイマー
７  サブタイマー表示部
８  サブタイマー設定ダイアル
９  収納部扉操作スイッチ
１０  電源スイッチ
１１  スピーカ
１２  電源コード
【図１】
2011031006.tif 000003
【図２】
2011031006.tif 000004
【図３】
2011031006.tif 000005
【図４】
2011031006.tif 000006
【図５】
2011031006.tif 000007